【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
ＩＰ網を介して通信を行う機能を備えたネットワーク通信装置において、
データ通信能力および音声能力を含む呼接続用パケットを生成するパケット生成手段と、
データ送信時、相手先ネットワーク通信装置に対して上記パケットによりデータ通信チャネルおよび音声チャネルを接続要求し、データ通信チャネルおよび音声チャネルを確立してデータ送信を行う通信制御手段を備えることを特徴とするネットワーク通信装置。
【請求項２】
受信した呼接続情報に音声能力が含まれているか否かを検出する音声能力検出手段をさらに備え、
前記通信制御手段は、受信した呼接続用パケットの呼接続情報に音声能力が含まれていることを検出した場合には、データ通信チャネルおよび音声チャネルを接続要求するようにしたことを特徴とする請求項１記載のネットワーク通信装置。
【請求項３】
前記通信制御手段は、送信時に第１の相手先ネットワーク通信装置を介して第２の相手先ネットワーク通信装置との通信が指定された場合には、データ通信チャネルおよび音声チャネルを接続要求するようにしたことを特徴とする請求項１記載のネットワーク通信装置。
【請求項４】
前記通信制御手段は、音声チャネル上では、ＲＴＣ／ＲＴＣＰパケットのやりとりを行うことを特徴とする請求項２または請求項３記載のネットワーク通信装置。
【請求項５】
前記通信制御手段は、音声チャネル上では、擬似的な音声データパケットのやりとりを行うことを特徴とする請求項２または請求項３記載のネットワーク通信装置。
【請求項６】
前記通信制御手段は、データ通信が終了するまでの間、音声チャネルの接続を維持するようにしたことを特徴とする請求項１または請求項２または請求項３または請求項４または請求項５記載のネットワーク通信装置。
【請求項７】
ＩＴＵ−Ｔ標準Ｔ．３８通信機能を備えたことを特徴とする請求項１または請求項２または請求項３または請求項４または請求項５記載または請求項６記載のネットワーク通信装置。
【請求項８】
ＩＰ網を介して通信を行う機能を備えたネットワーク通信装置の通信制御方法において、
データ通信能力および音声能力を含む呼接続用パケットを生成するパケット生成手段を備え、
データ送信時、相手先ネットワーク通信装置に対して上記パケットによりデータ通信チャネルおよび音声チャネルを接続要求し、データ通信チャネルおよび音声チャネルを確立してデータ送信を行うようにしたことを特徴とするネットワーク通信装置の通信制御方法。
【請求項９】
ＩＰ網を介して通信を行う機能を備えた複数のネットワーク通信装置を有するネットワーク通信システムにおいて、
上記ネットワーク通信装置は、データ通信能力および音声能力を含む呼接続用パケットを生成するとともに、
データ送信時、相手先ネットワーク通信装置に対して上記パケットによりデータ通信チャネルおよび音声チャネルを接続要求し、データ通信チャネルおよび音声チャネルを確立してデータ送信を行うようにしたことを特徴とするネットワーク通信システム。
【請求項１０】
ＩＰ網を介して通信を行う機能を備えたネットワーク通信装置に適用されるプログラムであって、
データ通信能力および音声能力を含む呼接続用パケットを生成し、
データ送信時、相手先ネットワーク通信装置に対して上記パケットによりデータ通信チャネルおよび音声チャネルを接続要求し、データ通信チャネルおよび音声チャネルを確立してデータ送信を行うようにしたプログラム。
【請求項１１】
ＩＰ網を介して通信を行う機能を備えたネットワーク通信装置に適用されるプログラムデータを格納した記録媒体であって、
データ通信能力および音声能力を含む呼接続用パケットを生成し、
データ送信時、相手先ネットワーク通信装置に対して上記パケットによりデータ通信チャネルおよび音声チャネルを接続要求し、データ通信チャネルおよび音声チャネルを確立してデータ送信を行うようにしたプログラムデータを格納したことを特徴とする記録媒体。
【手続補正２】
【補正対象書類名】明細書
【補正対象項目名】０００９
【補正方法】変更
【補正の内容】
【０００９】
本発明は、かかる実情に鑑みてなされたものであり、適切にアナログ公衆回線網ＰＳＴＮに接続されているグループ３ファクシミリ装置に対してデータ通信を行うことができるようにしたネットワーク通信装置を提供することを目的としている。
【手続補正３】
【補正対象書類名】明細書
【補正対象項目名】００１０
【補正方法】変更
【補正の内容】
【００１０】
【課題を解決するための手段】
本発明は、ＩＰ網を介して通信を行う機能を備えたネットワーク通信装置において、データ通信能力および音声能力を含む呼接続用パケットを生成するパケット生成手段と、データ送信時、相手先ネットワーク通信装置に対して上記パケットによりデータ通信チャネルおよび音声チャネルを接続要求し、データ通信チャネルおよび音声チャネルを確立してデータ送信を行う通信制御手段を備えたものである。
【手続補正４】
【補正対象書類名】明細書
【補正対象項目名】００１１
【補正方法】変更
【補正の内容】
【００１１】
また、受信した呼接続情報に音声能力が含まれているか否かを検出する音声能力検出手段をさらに備え、前記通信制御手段は、受信した呼接続用パケットの呼接続情報に音声能力が含まれていることを検出した場合には、データ通信チャネルおよび音声チャネルを接続要求するようにしたものである。
【手続補正５】
【補正対象書類名】明細書
【補正対象項目名】００１２
【補正方法】変更
【補正の内容】
【００１２】
また、前記通信制御手段は、送信時に第１の相手先ネットワーク通信装置を介して第２の相手先ネットワーク通信装置との通信が指定された場合には、データ通信チャネルおよび音声チャネルを接続要求するようにしたものである。
【手続補正６】
【補正対象書類名】明細書
【補正対象項目名】００１３
【補正方法】変更
【補正の内容】
【００１３】
また、前記通信制御手段は、音声チャネル上では、ＲＴＣ／ＲＴＣＰパケットのやりとりを行うようにしたものである。
【手続補正７】
【補正対象書類名】明細書
【補正対象項目名】００１４
【補正方法】変更
【補正の内容】
【００１４】
また、前記通信制御手段は、音声チャネル上では、擬似的な音声データパケットのやりとりを行うようにしたものである。
【手続補正８】
【補正対象書類名】明細書
【補正対象項目名】００１５
【補正方法】変更
【補正の内容】
【００１５】
また、前記通信制御手段は、データ通信が終了するまでの間、音声チャネルの接続を維持するようにしたものである。
【手続補正９】
【補正対象書類名】明細書
【補正対象項目名】００１６
【補正方法】変更
【補正の内容】
【００１６】
また、ＩＴＵ−Ｔ標準Ｔ．３８通信機能を備えたものである。
【手続補正１０】
【補正対象書類名】明細書
【補正対象項目名】００１７
【補正方法】変更
【補正の内容】
【００１７】
また、ＩＰ網を介して通信を行う機能を備えたネットワーク通信装置の通信制御方法において、データ通信能力および音声能力を含む呼接続用パケットを生成するパケット生成手段を備え、データ送信時、相手先ネットワーク通信装置に対して上記パケットによりデータ通信チャネルおよび音声チャネルを接続要求し、データ通信チャネルおよび音声チャネルを確立してデータ送信を行うようにしたものである。
【手続補正１１】
【補正対象書類名】明細書
【補正対象項目名】００１８
【補正方法】変更
【補正の内容】
【００１８】
また、ＩＰ網を介して通信を行う機能を備えた複数のネットワーク通信装置を有するネットワーク通信システムにおいて、上記ネットワーク通信装置は、データ通信能力および音声能力を含む呼接続用パケットを生成するとともに、データ送信時、相手先ネットワーク通信装置に対して上記パケットによりデータ通信チャネルおよび音声チャネルを接続要求し、データ通信チャネルおよび音声チャネルを確立してデータ送信を行うようにしたものである。
【手続補正１２】
【補正対象書類名】明細書
【補正対象項目名】００１９
【補正方法】変更
【補正の内容】
【００１９】
また、ＩＰ網を介して通信を行う機能を備えたネットワーク通信装置に適用されるプログラムであって、データ通信能力および音声能力を含む呼接続用パケットを生成し、データ送信時、相手先ネットワーク通信装置に対して上記パケットによりデータ通信チャネルおよび音声チャネルを接続要求し、データ通信チャネルおよび音声チャネルを確立してデータ送信を行うようにしたものである。
【手続補正１３】
【補正対象書類名】明細書
【補正対象項目名】００２０
【補正方法】変更
【補正の内容】
【００２０】
また、ＩＰ網を介して通信を行う機能を備えたネットワーク通信装置に適用されるプログラムデータを格納した記録媒体であって、データ通信能力および音声能力を含む呼接続用パケットを生成し、データ送信時、相手先ネットワーク通信装置に対して上記パケットによりデータ通信チャネルおよび音声チャネルを接続要求し、データ通信チャネルおよび音声チャネルを確立してデータ送信を行うようにしたものである。